(57)【要約】  【課題】  ハードディスクの編集作業を効率化できる記録装置を提供する。  【解決手段】  ディスク１９にはハードディスクからバックアップされた画像音声データが記録されており、その画像音声データに関する情報であるインデックスデータがＩＣタグ２０に記憶されている。ディスク１９をＩＣタグ通信アンテナ１０に近づけると、制御部８はＩＣタグ２０との無線通信によりインデックスデータを受信し、現在ハードディスクに記録されている画像音声データのインデックスデータと比較し、一致するインデックスデータに対応する画像音声データのサムネイルやインデックスデータを強調して表示装置１７に表示させる。【選択図】      図１
2006338707.tif 000002
【特許請求の範囲】
【請求項１】
画像音声情報が記録されるハードディスクを備える記録装置であって、
画像音声情報が記録された光ディスクが有し該画像音声情報に関する情報であるインデ
ックス情報が記憶された無線タグと無線通信を行う通信手段と、
該通信手段が受信した前記インデックス情報に対応する前記ハードディスクに記録され
た画像音声情報に関する情報および/または該画像音声情報に基づく画像を強調して表示
手段に表示させる表示信号を生成する表示信号生成手段と、
前記通信手段が受信した前記インデックス情報に対応する前記ハードディスクに記録さ
れた画像音声情報を、記録装置を操作する操作信号に基づき前記ハードディスクから消去
する消去手段と、
前記通信手段が受信した前記インデックス情報に対応する前記ハードディスクに記録さ
れた画像音声情報を、記録装置を操作する操作信号に基づき光ディスクに記録する記録手
段と、を備えることを特徴とする記録装置。
【請求項２】
画像音声情報が記録されるハードディスクを備える記録装置であって、
画像音声情報が記録された光ディスクが有し該画像音声情報に関する情報であるインデ
ックス情報が記憶された無線タグと無線通信を行う通信手段と、
該通信手段が受信した前記インデックス情報に対応する前記ハードディスクに記録された
画像音声情報に関する情報および/または該画像音声情報に基づく画像を強調して表示手
段に表示させる表示信号を生成する表示信号生成手段と、を備えることを特徴とする記録
装置。
【請求項３】
前記通信手段が受信した前記インデックス情報に対応する前記ハードディスクに記録さ
れた画像音声情報を、記録装置を操作する操作信号に基づき前記ハードディスクから消去
する消去手段を備えることを特徴とする請求項２に記載の記録装置。
【請求項４】
前記通信手段が受信した前記インデックス情報に対応する前記ハードディスクに記録さ
れた画像音声情報を、記録装置を操作する操作信号に基づき光ディスクに記録する記録手
段を備えることを特徴とする請求項２に記載の記録装置。
【発明の詳細な説明】
【技術分野】
【０００１】
本発明は、ハードディスクを備えた画像音声情報の記録装置に関する。
【背景技術】
【０００２】
昨今、ＤＶＤレコーダとハードディスクを組み合わせた複合型のＤＶＤレコーダが登場
している。このようなＤＶＤレコーダは、テレビ番組等の長時間のコンテンツデータ（映
像、音声）を内蔵された大容量のハードディスクに一旦記録しておき、後で必要なデータ
のみＤＶＤに記録してバックアップするような使い方をされる。このようなＤＶＤレコー
ダにおいて、ハードディスクに記録されたコンテンツデータのうち、どれがＤＶＤにバッ
クアップ済みであるかが分かれば、ハードディスクからバックアップ済みの不要なデータ
を削除でき容量を有効に活用でき、ユーザにとって便利である。
【０００３】
ここで例えば、特許文献１には次のようなものが開示されている。ＤＶＤ−ＲＡＭに無
線タグを有する表示装置を設け、ＤＶＤレコーダによりＤＶＤ−ＲＡＭメディア本体にコ
ンテンツデータが記録されると共に、ＤＶＤ−ＲＡＭの無線タグにコンテンツデータのイ
ンデックスデータが記録される。そして、ＤＶＤ−ＲＡＭがＤＶＤレコーダから取り出さ
れている状態で、無線タグに記録されたインデックスデータが表示装置のＬＣＤパネルに
表示される。このような発明によれば、記録メディアをＤＶＤレコーダに挿入することな
く、記録メディアに記録されたコンテンツデータの内容を確認することができる。
【０００４】
しかし、特許文献１のような発明では、ハードディスクに記録されたコンテンツデータ
のうち、どれがＤＶＤにバックアップ済みであるかをユーザが確認し削除等の編集をする
とき、ハードディスクに記録されたコンテンツデータのリストをＤＶＤレコーダに接続さ
れた表示装置の画面に表示させて、記録メディアに表示されたインデックスデータと見比
べる必要があり、ハードディスクに記録されたコンテンツデータの数量が多い場合や、記
録メディアの枚数が多い場合、非常に面倒なものとなる。
【特許文献１】特開２００５−４９３０号公報
【発明の開示】
【発明が解決しようとする課題】
【０００５】
上記問題点を鑑みて本発明はなされたものであり、ハードディスクの編集作業を効率化
できる記録装置を提供することを目的とする。
【課題を解決するための手段】
【０００６】
上記目的を達成するために本発明の記録装置は、画像音声情報が記録されるハードディ
スクを備える記録装置であって、画像音声情報が記録された光ディスクが有し該画像音声
情報に関する情報であるインデックス情報が記憶された無線タグと無線通信を行う通信手
段と、該通信手段が受信した前記インデックス情報に対応する前記ハードディスクに記録
された画像音声情報に関する情報および/または該画像音声情報に基づく画像を強調して
表示手段に表示させる表示信号を生成する表示信号生成手段と、を備えることを特徴とす
る。
【０００７】
このような構成によれば、光ディスクを記録装置に近づけるだけで、ハードディスクに
記録された画像音声データのうち、どれがその光ディスクにバックアップされたものであ
るかをユーザは確認できるので、データ削除等のハードディスクの編集作業を効率化でき
る。
【０００８】
また、本発明の記録装置は、前記通信手段が受信した前記インデックス情報に対応する
前記ハードディスクに記録された画像音声情報を、記録装置を操作する操作信号に基づき
前記ハードディスクから消去する消去手段を備えることを特徴とする。
【０００９】
このような構成によれば、光ディスクを記録装置に近づけて、ハードディスクに記録さ
れた画像音声データのうち光ディスクに記録されたものを確認後、それらのデータをユー
ザの操作により一度にすべてハードディスクから削除できるため、ハードディスクからの
不要なデータの削除作業を効率化できる。
【００１０】
また、本発明の記録装置は、前記通信手段が受信した前記インデックス情報に対応する
前記ハードディスクに記録された画像音声情報を、記録装置を操作する操作信号に基づき
光ディスクに記録する記録手段を備えることを特徴とする。
【００１１】
このような構成によれば、ハードディスクから一度あるフォーマットの光ディスクにバ
ックアップした内容と同じ内容を、別のフォーマットの光ディスクにバックアップするこ
とが容易にできる。
【発明の効果】
【００１２】
本発明の記録装置によれば、ハードディスクの編集作業を効率化できる。
【発明を実施するための最良の形態】
【００１３】
本発明の実施形態の一例を図面を参照しながら説明する。図１に、本発明の実施形態の
一例であるハードディスク付きＤＶＤレコーダおよびその周辺機器のブロック図を示す。
ＤＶＤレコーダ１は、アンテナ２、チューナ３、ＨＤＤ（ハードディスク）記録再生部４
、ＤＶＤ記録再生部５、外部Ｉ／Ｆ６、画像音声圧縮伸長部７、制御部８、送受信部９、
ＩＣタグ通信アンテナ１０、ＯＳＤ（On Screen Display）部１１、メモリ１２、画像出
力部１３、音声出力部１４、リモコン受信部１５を備える。また、ビデオデッキ等の外部
装置１６が外部Ｉ／Ｆ６に接続され、テレビ等の表示装置１７が画像出力部１３および音
声出力部１４に接続される。また、リモコン１８はリモコン受信部１５に操作信号を送信
する。
【００１４】
上記構成のＤＶＤレコーダ１の動作について以下説明する。
【００１５】
ＤＶＤレコーダ１は、テレビ番組を内蔵されたハードディスクに記録することができる
。アンテナ２で受信されたテレビ放送信号はチューナ３で復調、デジタル化され、画像音
声データが画像音声圧縮伸長部７に送信される。画像音声圧縮伸長部７は画像音声データ
をＭＰＥＧ２等に準拠して圧縮符号化し、ＨＤＤ記録再生部４に送信し、ＨＤＤ記録再生
部４はハードディスクに圧縮された画像音声データを記録する。そのとき、制御部８はハ
ードディスクに記録される画像音声データに関する情報であるインデックスデータをメモ
リ１２に記憶させる。インデックスデータは、タイトル、録画日時、画像音声データの内
容等であり、例えば、タイトルおよび画像音声データの内容はテレビ放送信号が含む番組
情報を、録画日時は不図示のタイマ部を利用すればよい。
【００１６】
また、ＤＶＤレコーダ１は、ビデオデッキ等である外部装置１６の出力を内蔵されたハ
ードディスクに記録することができる。外部装置１６から出力される画像音声データは外
部Ｉ／Ｆ６でデジタル化され、画像音声圧縮伸長部７で圧縮符号化され、ＨＤＤ記録再生
部４でハードディスクに記録される。そのとき、制御部８はインデックスデータをメモリ
１２に記憶させる。この場合、タイトルおよび画像音声データの内容は制御部８が仮に情
報を作成し、メモリ１２に記憶すればよい。メモリ１２に記憶されたインデックスデータ
は後でユーザが編集することができる。
【００１７】
次に、ＤＶＤレコーダ１は、上記のようにハードディスクに記録された画像音声データ
をＤＶＤに記録することができる。ＤＶＤ記録再生部５には、ユーザによりディスク１９
（記録用ＤＶＤ）が予めマウントされている。そして制御部８は、ＨＤＤ記録再生部４に
ハードディスクに記録された画像音声データを再生させ、再生された画像音声データをＤ
ＶＤ記録再生部５によりディスク１９の記録面に記録させる。このとき、制御部８は、デ
ィスク１９に記録した画像音声データに対応するインデックスデータをメモリ１２から読
み出し、送受信部９に送信する。送受信部９はインデックスデータを変調し、ＩＣタグ通
信アンテナ１０に送信し、ＩＣタグ通信アンテナ１０は入力された変調信号を電波信号と
して、ＤＶＤ記録再生部５にマウントされたディスク１９が有するＩＣタグ２０に送信す
る。
【００１８】
無線タグであるＩＣタグ２０は、ディスク１９面上に設けられ、図示しないアンテナ、
送受信部、メモリ等から構成される。ＩＣタグ通信アンテナ１０から送信されたインデッ
クスデータの電波信号をＩＣタグ２０のアンテナが受信し、この受信信号を送受信部が復
調し、メモリに記憶させる。
【００１９】
以上のようにディスク１９の記録面に画像音声データが記録され、その画像音声データ
に対応したインデックスデータがディスク１９に設けられたＩＣタグ２０に記憶される。
【００２０】
次に、ハードディスクに記録された画像音声データがＤＶＤにバックアップ済みかどう
かをユーザが確認し、ハードディスクからデータ削除する場合のＤＶＤレコーダ１の動作
について図２を参照しながら説明する。
【００２１】
ハードディスクに記録された画像音声データのリストをテレビ等の表示装置１７に表示
させる操作をユーザがリモコン１８で行い、リモコン１８からの操作信号をリモコン受信
部１５が受信し、制御部８に送信する。
【００２２】
そして、制御部８は、ＨＤＤ記録再生部４にハードディスクに記録された画像音声デー
タを再生させる。ＨＤＤ記録再生部４は画像音声データ毎に画像データの１フレーム目の
みを再生し、再生した圧縮された画像データを画像音声データ圧縮復号部７に送信する。
画像音声データ圧縮復号部７は受信した圧縮された画像データを伸長復号し、ＯＳＤ部１
１に送信する。ＯＳＤ部１１は受信した画像データを縮小し、サムネイルデータを生成す
る。
【００２３】
またこのとき、制御部８はメモリ１２からインデックスデータを読み出し、ＯＳＤ部１
１に送信する。ＯＳＤ部１１は受信したインデックスデータに基づき文字データを生成す
る。また、ＯＳＤ部１１は制御部８からの指示により図形データも生成する。
【００２４】
そして、ＯＳＤ部１１は上記サムネイルデータ、文字データ、図形データを合成し、画
像出力部１３に送信する。画像出力部１３はＯＳＤ部１１からの受信信号をアナログ化し
、表示装置１７に送信する。そして、表示装置１７の表示部には図２（ａ）のような画面
が表示される。ここでは、ハードディスクに記録された画像音声データ毎に、インデック
スデータ（ここではタイトル、録画日）表示部２１、１フレーム目の画像のサムネイル２
２が表示される。インデックスデータ表示部２１には、データナンバーも表示される。
【００２５】
ここで、ユーザがディスク１９をＩＣタグ通信アンテナ１０に近づけると、ＩＣタグ２
０のメモリに記憶されたインデックスデータがアンテナから電波信号としてＩＣタグ通信
アンテナ１０に送信される。ＩＣタグ通信アンテナ１０が受信した電波信号は送受信部９
で復調され、制御部８に送信される。そして、制御部８は送受信部９から受信したインデ
ックスデータを、メモリ１２に記憶されたインデックスデータと比較し、一致するものが
あれば、そのインデックスデータに対応する画像音声データのサムネイルを、ハードディ
スクに記録された他の画像音声データのサムネイルに比べて強調表示するようＯＳＤ部１
１に指示し、ＯＳＤ部１１は図形データを生成し、画像出力部１３を介し表示装置１７に
送信する。そして、表示装置１７の表示部には図２（ｂ）のような画面が表示される。図
２（ｂ）では、インデックスデータである「タイトル：ドラマ○○、録画日：２００５／
１／８」および「タイトル：ニュース、録画日：２００５／４／４」がＩＣタグ２０に記
憶されたインデックスデータとメモリ１２に記憶されたインデックスデータとで一致した
ので、それらのインデックスデータに対応するサムネイル２２の外枠２３がハイライト表
示されている。
【００２６】
なお、ハイライト表示ではなく、外枠２３を点滅表示等させてもよい。また、サムネイ
ルを強調表示せずに、またはしながら、インデックスデータ表示部２１を強調表示するよ
うにしてもよい。インデックスデータ表示部２１の強調は、例えば上記サムネイルと同様
に外枠をハイライト表示させたり、表示文字の色やフォントを変えたりすればよい。その
場合、ＯＳＤ部１１はそのような強調表示に対応した図形データや文字データを生成する
こととなる。また、全サムネイルおよび全インデックスデータ表示部のうち、ＩＣタグ２
０に記憶されたインデックスデータとメモリ１２に記憶されたインデックスデータとで一
致したインデックスデータに対応するサムネイルおよびインデックスデータ表示部のみを
表示させるようにしてもよい。
【００２７】
次に、表示装置１７の表示部に図２（ｂ）のような画面が表示された状態でユーザがリ
モコン１８の例えばエンターキーを押したとする。制御部８は、リモコン１８からの操作
信号をリモコン受信部１５を介して受信し、現在強調表示されているサムネイルおよびそ
れに対応するインデックスデータのみを表示するようＯＳＤ部１１に指示する。また、そ
のとき制御部８はＯＳＤ部１１にメニュー表示をするよう指示する。そしてＯＳＤ部１１
は制御部８からの指示に基づき図形データおよび文字データを生成し、サムネイル、図形
データ、文字データを合成して画像出力部１３を介し表示装置１７に送信する。そして、
表示装置１７の表示部には図２（ｃ）のような画面が表示される。ここでは、図２（ｂ）
で強調表示されていたサムネイル２２、およびそれに対応するインデックスデータ表示部
２１のみが表示され、これにより、ＤＶＤにバックアップされたデータをユーザは再度確
認できる。なお、図２（ｂ）でインデックスデータ表示部２１が強調表示される場合は、
強調表示されたインデックスデータ表示部２１およびそれに対応するサムネイル２２のみ
を表示すればよい。また、図２（ｃ）では、メニュー２４が表示され、メニュー２４には
「削除」「コピー」の文字や、カーソルが表示される。
【００２８】
ここでユーザがリモコン１８を用いてメニュー２４のカーソルを図２（ｃ）のように「
削除」の位置に合わせ、確定する操作を行うと、制御部８はリモコン受信部１５を介して
操作信号を受信し、前述の比較でメモリ１２に記憶されたインデックスデータのうち送受
信部９から受信したインデックスデータと一致したインデックスデータに対応する画像音
声データをハードディスクから消去するようＨＤＤ記録再生部４に指示し、ＨＤＤ記録再
生部４は上記画像音声データをハードディスクから消去する。また、制御部８は、メモリ
１２から上記一致したインデックスデータを消去する。
【００２９】
その後、前述した図２（ａ）の表示時と同様に、制御部８は、ＨＤＤ記録再生部４、画
像音声圧縮伸長部７、ＯＳＤ部１１、メモリ１２を用いて、現在ハードディスクに記録さ
れている画像音声データのリストを表示装置１７に表示させる。このとき、表示装置１７
の表示部には図２（ｄ）のような画面が表示される。ここでは、上記でハードディスクか
ら消去された画像音声データ以外の画像音声データに対応するインデックスデータ表示部
２１およびサムネイル２２が表示される。
【００３０】
以上により、ディスク１９をＤＶＤレコーダ１に近づけるだけで、ハードディスクに記
録された画像音声データのうち、どれがディスク１９に記録されたものであるかをユーザ
は確認できるので、データ削除等のハードディスクの編集作業を効率化できる。また、デ
ィスク１９をＤＶＤレコーダ１に近づけて、ハードディスクに記録された画像音声データ
のうちディスク１９に記録されたものを確認後、それらのデータをユーザの操作により一
度にすべてハードディスクから削除できるため、ハードディスクからの不要なデータの削
除作業を効率化できる。
【００３１】
また、表示装置１７の表示部に図２（ｃ）のような画面が表示された状態で、ユーザが
リモコン１８を用いてメニュー２４のカーソルを「コピー」の位置に合わせ、確定する操
作を行うと、制御部８はリモコン受信部１５を介して操作信号を受信し、前述の比較でメ
モリ１２に記憶されたインデックスデータのうち送受信部９から受信したインデックスデ
ータと一致したインデックスデータに対応する画像音声データをハードディスクから再生
するようＨＤＤ記録再生部４に指示し、ＨＤＤ記録再生部４は上記画像音声データをハー
ドディスクから再生する。そして制御部８はＤＶＤ記録再生部５により、ハードディスク
から再生された画像音声データをＤＶＤ記録再生部５に予めマウントされたディスク１９
（ＩＣタグ通信アンテナ１０に近づけるディスクとは別のディスク）の記録面に記録させ
る。これにより、一度ハードディスクからＤＶＤ（例えばＤＶＤ−Ｒ）にバックアップし
た内容と同じ内容を、別のフォーマットのＤＶＤ（例えばＤＶＤ＋Ｒ）にバックアップす
ることが容易にできる。
【図面の簡単な説明】
【００３２】
【図１】は、本発明の実施形態例であるハードディスク付きＤＶＤレコーダおよびその周辺機器のブロック図である。
【図２】は、ハードディスクからのデータ削除作業時の画面例を示す図である。
【符号の説明】
【００３３】
１    ＤＶＤレコーダ
２    アンテナ
３    チューナ
４    ＨＤＤ記録再生部
５    ＤＶＤ記録再生部
６    外部Ｉ／Ｆ
７    画像音声圧縮伸長部
８    制御部
９    送受信部
１０    ＩＣタグ通信アンテナ
１１    ＯＳＤ部
１２    メモリ
１３    画像出力部
１４    音声出力部
１５    リモコン受信部
１６    外部装置
１７    表示装置
１８    リモコン
１９    ディスク
２０    ＩＣタグ
２１    インデックスデータ表示部
２２    サムネイル
２３    外枠
２４    メニュー
【図１】
2006338707.tif 000003
【図２】
2006338707.tif 000004